(57)【特許請求の範囲】
【請求項１】
光を照射する照射部および前記照射部から照射され対象物で反射した光を受光する受光部が同軸上に設けられている同軸光学経路を有する光学系と、前記同軸光学経路の途中に設けられているフロントスクリーンと、を備える光学的距離測定装置であって、
前記照射部から照射された光を、前記受光部で受光するまでの時間を測定時間として測定する時間測定手段と、
前記時間測定手段で測定された前記測定時間と前記受光部で受光した受光量との関係から前記フロントスクリーンへの異物の付着の有無を検出する異物検出手段と、を備え、
前記異物検出手段は、
前記フロントスクリーンを透過できずに反射した光に対応する第一パルス、および前記対象物で反射した光に対応する第二パルスを検出し、
前記第一パルスの第一受光量Ｌ１よりも前記第二パルスの第二受光量Ｌ２が大きいとき、前記第一受光量Ｌ１が前記フロントスクリーンによる内部反射にともなう内部受光量Ｌｉであるとして、前記フロントスクリーンに異物の付着が無い通常状態であると判定し、
前記第一パルスにおいて前記第一受光量Ｌ１よりも大きな超過受光量Ｌｏを検出し、前記第二パルスを検出しないとき、障害物が前記フロントスクリーンの外側を覆う障害物状態と判定し、
前記第一パルスにおける受光量が前記内部受光量Ｌｉよりも大きく、かつ前記超過受光量Ｌｏよりも小さくなるとともに、前記第二パルスにおける受光量が前記通常状態の前記第二受光量Ｌ２よりも小さいとき、前記フロントスクリーンの外側に異物が付着している異物付着状態であると判定する、
光学的距離測定装置。
【請求項２】
前記照射部は、走査開始位置から走査終了位置まで一定の間隔で設定された走査領域ごとに光を照射し、
前記異物付着状態において、前記異物検出手段は、
ノイズと区別するために設定されている下限受光量における前記第一パルスのパルス幅が予め設定された判定値βを超える前記走査領域の範囲から、前記フロントスクリーンに付着している前記異物の角度を検出する請求項１記載の光学的距離測定装置。
【請求項３】
前記異物検出手段は、
前記走査領域の全体に占める前記異物付着状態と判定した前記走査領域の割合Ａが予め設定した第一設定時間Ｔ１の間、連続して予め設定した設定割合γ以上であるとき、前記フロントスクリーンに前記異物が有りと判定し、
前記異物が有りと判定した後、予め設定した第二設定時間Ｔ２の間、連続して予め設定した設定割合δ以下であるとき、前記フロントスクリーンに前記異物が無しと判定する請求項２記載の光学的距離測定装置。
【請求項４】
前記異物検出手段は、前記受光部で受光した光の強さを前記受光量とする請求項１から３のいずれか一項記載の光学的距離測定装置。
【請求項５】
前記異物検出手段は、前記受光部で受光した前記第一パルスおよび前記第二パルスの時間的な幅を前記受光量とする請求項１から３のいずれか一項記載の光学的距離測定装置。
【請求項６】
前記異物検出手段は、前記受光部で受光した光のエネルギーを前記受光量とする請求項１から３のいずれか一項記載の光学的距離測定装置。
【発明の詳細な説明】
【技術分野】
【０００１】
本発明は、光学的距離測定装置に関する。
【背景技術】
【０００２】
照射部から照射した光を受光部で受光して距離を測定する光学的距離測定装置が公知である。この光学的距離測定装置には、照射部と受光部とを同一の光軸上に配置する同軸光学系を有するものがある。同軸光学系の光学的距離測定装置の場合、照射部から照射されたレーザ光などの光は、装置の前面に設けられているフロントスクリーンを通過して装置の外部へ照射される。装置の外部の対象物で反射した光は、再びフロントスクリーンを通過して受光部へ入射する。
【０００３】
このように同軸光学系の光学的距離測定装置の場合、照射部から照射された光は、フロントスクリーンを通過して外部へ照射される。そのため、照射された光の一部は、内部反射としてフロントスクリーンの内面側で反射する。フロントスクリーンの内面側で反射した光は、外部の対象物で反射する光とは別に受光部に入射する。このように内部反射の光は光学的距離測定装置による距離の測定における誤報の原因となることから、フロントスクリーンによる内部反射は可能な限り低減することが求められている。
【０００４】
ところで、フロントスクリーンの外面側は、雨や土埃などよって汚れが付着しやすい。フロントスクリーンに汚れや埃などの異物が付着すると、照射部から照射された光はこの付着した異物によって反射する。そのため、フロントスクリーンに異物が付着すると、内部反射と同様に外部の対象物までの距離の測定精度が低下する。そこで、従来、フロントスクリーンに相当するケースに三角プリズム状の突起物を設け、この突起物に汚れ検出用の発光部からレーザ光を照射して汚れを検出することが提案されている（特許文献１参照）。しかしながら、特許文献１の場合、突起物に対応するケースの一部しか汚れを検出することができないという問題がある。また、特許文献１の場合、汚れを検出するために、別個の光学系を設ける必要がある。そのため、部品点数の増加および構造の複雑化を招くという問題がある。
【先行技術文献】
【特許文献】
【０００５】
【特許文献１】特開平１０−０９０４１２号公報
【発明の概要】
【発明が解決しようとする課題】
【０００６】
そこで、本発明の目的は、距離測定用の光学系を用いることにより、部品の追加および構造の複雑化を招くことなく、フロントスクリーンに付着した異物を全面にわたり精度よく検出する光学的距離測定装置を提供することにある。
【課題を解決するための手段】
【０００７】
請求項１記載の発明では、異物検出手段は、フロントスクリーンの近傍で反射した光に対応する第一パルス、および外部の対象物で反射した光に対応する第二パルスを検出する。照射部から照射された光は、フロントスクリーンを通過する際の内面側における内部反射、またはフロントスクリーンの外面側に付着した異物による反射によって第一パルスを生成する。
ここで、フロントスクリーンに異物が付着していないとき、第一パルスはフロントスクリーンにおける内部反射によって生じる。そのため、この第一パルスにおける第一受光量Ｌ１は、小さくなる。その結果、照射部から照射された光は、その多くが外部の対象物で反射する。これにより、外部の対象物で反射した光に対応する第二パルスの第二受光量Ｌ２は、第一パルスの第一受光量Ｌ１よりも大きくなる。そこで、異物検出手段は、第一受光量Ｌ１よりも第二受光量Ｌ２が大きいとき、受光した第一パルスの第一受光量Ｌ１が内部反射による内部受光量Ｌｉであるとして、フロントスクリーンに異物が付着していない通常状態と判定する。
【０００８】
フロントスクリーンを覆うように障害物があるとき、第一パルスにおける第一受光量Ｌ１は非常に大きくなる。また、このようにフロントスクリーンを障害物が覆う場合、照射部から照射した光は対象物へ到達しない、または対象部で反射した光は受光部へ入射しない。そのため、フロントスクリーンを障害物が覆う場合、第二パルスは、検出されない、または検出されても微小となる。そこで、異物検出手段は、第二パルスを検出しないとき、フロントスクリーンを障害物が覆う障害物状態と判定する。
【０００９】
一方、フロントスクリーンに異物が付着しているとき、照射部から照射された光は、一部が異物で反射し、残る他部が外部の対象物において反射する。そのため、フロントスクリーンに異物が付着しているとき、第一パルスおよび第二パルスが検出される。そして、フロントスクリーンに付着した異物によって光が弱められるため、第二パルスの受光量は小さくなる。そこで、異物検出手段は、第一パルスにおける受光量が内部受光量Ｌｉより大きくかつ超過受光量Ｌｏよりも小さくなるとともに、第二パルスにおける受光量が通常状態の第二受光量Ｌ２よりも小さいとき、フロントスクリーンの外側に異物が付着した異物付着状態であると判定する。
【００１０】
このように、異物検出手段は、距離測定用の同軸光学系を利用して、内部反射に対応する第一パルスと、対象物での反射に対応する第二パルスとの間の光の光量の差を用いて、フロントスクリーンに付着した異物を検出する。すなわち、本発明の場合、従来の機器において排除が求められた内部反射を積極的に利用してフロントスクリーンに付着した異物を検出している。したがって、部品の追加および構造の複雑化を招くことなく、フロントスクリーンに付着した異物を全面にわたり精度よく検出することができる。
【００１１】
請求項２記載の発明では、照射部は、走査開始位置から走査終了位置まで一定の角度範囲で光を照射する。すなわち、照射部は、走査領域ごとに光を照射して、異物や対象物を走査する。異物検出手段は、異物付着状態にあるとき、走査領域の範囲を特定する。これにより、異物検出手段は、単に異物の付着した位置だけでなく、その範囲つまり異物の大きさも検出する。光学的距離測定装置は、設置条件などによって汚れなどの異物の付着が許容される程度が異なる。請求項２記載の発明のようにフロントスクリーンに付着した異物の範囲を検出することにより、その異物が許容できるか否かを判定する材料となる。したがって、条件に応じて高い精度で異物の検出を行なうことができる。
【００１２】
請求項３記載の発明では、照射部は、異物を検出した期間が第一設定時間Ｔ１の間連続すると、異物が有りと判定する。一方、照射部は、異物が有りと判定した後、第二設定時間Ｔ２の間連続して異物が検出されないとき、異物が無しと判定する。光学的距離測定装置を屋外に設置した場合、風雨などによってフロントスクリーンに付着した異物が除去されることがある。そこで、請求項３記載の発明では、異物が有りと判定した後でも、第二設定時間Ｔ２の間連続して異物が検出されないとき、異物が除去されたとして、異物が無しと判定する。したがって、使用環境に応じて高い精度で異物の検出を行なうことができる。
【００１３】
請求項４記載の発明では、異物検出手段は、受光部で受光した光の強さを受光量とする。受光部は、受光した光の強さに応じた電圧などの電気信号を出力する。異物検出手段は、この受光部から光の強さに応じて出力される電気信号をそのまま受光量として用いる。これにより、受光量は単純な大小関係に置換され、内部における処理が簡略化される。したがって、走査解像度が高い場合でも、迅速な処理を行なうことができる。
【００１４】
請求項５記載の発明では、異物検出手段は、受光部で受光した第一パルスおよび第二パルスの幅を受光量とする。反射する光が強くなると、受光部から出力される電気信号のパルスの幅、すなわちパルスの出力が開始された時点から停止された時点までの時間的な幅が大きくなる。異物検出手段は、この時間的な幅を受光量として用いる。これにより、受光量は信号がオンからオフまでの時間に置換され、内部における処理が簡略化される。したがって、走査解像度が高い場合でも、迅速な処理を行なうことができる。
【００１５】
請求項６記載の発明では、異物検出手段は、受光部で受光した光のエネルギーを受光量とする。この光のエネルギーとは、第一パルスおよび第二パルスの積分値に相当する。すなわち、光のエネルギーは、受光部で受光した光の強さに応じて出力された電気信号を、第一パルスおよび第二パルスの時間的な範囲で積分したものである。これにより、受光量は、積分値の大小関係に置換される。積分値を用いることにより処理の要する時間が増加するものの、受光量の精度は向上する。したがって、より高い精度で異物の検出を行なうことができる。
【図面の簡単な説明】
【００１６】
【図１】一実施形態による光学的距離測定装置の構成を示すブロック図
【図２】一実施形態による光学的距離測定装置の光学的な構成を示す模式図
【図３】一実施形態による光学的距離測定装置の走査領域を示す模式図
【図４】光学的距離測定装置における時間と受光量との関係を示す模式図
【図５】通常状態における時間と受光量との関係を示す模式図
【図６】障害物状態における時間と受光量との関係を示す模式図
【図７】異物検出状態における時間と受光量との関係を示す模式図
【図８】異物検出状態におけるパルスを説明するための説明図
【図９】一実施形態による光学的距離測定装置の処理の流れを示す概略図
【発明を実施するための形態】
【００１７】
以下、一実施形態による光学的距離測定装置を図面に基づいて説明する。
まず、図２に示す光学的距離測定装置１０の構成について説明する。光学的距離測定装置１０は、光学系１１、フロントスクリーン１２およびケース１３を備えている。光学系１１は、照射部２１、受光部２２、回転ミラー２３、折り返しミラー２４および折り返しミラー２５を有している。照射部２１は、レーザ光を照射する。受光部２２は、照射部２１から照射され対象物３０で反射した光などを受光する。回転ミラー２３は、ミラー本体２３１および駆動部２３２を有している。駆動部２３２は、ミラー本体２３１を回転駆動する。これにより、照射部２１の光は、回転する回転ミラー２３で反射することにより、図３に示すように走査開始位置Ｐ１から走査終了位置Ｐ２まで一定の角度間隔で設定された走査領域へ照射される。本実施形態の場合、走査開始位置Ｐ１から走査終了位置Ｐ２まで地面に平行な水平方向へ約１８０°の走査面Ｓａが設定されている。回転ミラー２３が一定の角度間隔で回転することにより、走査面Ｓａを分割して設定される走査領域へ照射部２１の光が照射される。なお、走査面Ｓａは、地面に垂直な方向にも設定してもよい。
【００１８】
図２に示す折り返しミラー２４は、照射部２１から照射された光を回転ミラー２３に向けて折り返す。また、折り返しミラー２５は、外部の対象物３０から入射し、回転ミラー２３で反射した光を受光部２２に向けて折り返す。折り返しミラー２５は、照射部２１から照射され折り返しミラー２４から回転ミラー２３へ入射する光を透過するとともに、対象物３０で反射し回転ミラー２３から入射する光を受光部２２へ向けて反射するハーフミラーである。これにより、照射部２１から照射されたレーザ光は、折り返しミラー２４および回転ミラー２３で反射して、外部の対象物３０へ照射される。対象物３０で反射した光は、回転ミラー２３および折り返しミラー２５で反射して、受光部２２へ入射する。これらの結果、光は、照射部２１、折り返しミラー２４、回転ミラー２３、対象物３０、回転ミラー２３、折り返しミラー２５および受光部２２となる光学的な経路Ｌを形成する。このように、本実施形態の場合、光を照射する照射部２１と光を受光する受光部２２とは、同一の光学軸上に位置している。したがって、本実施形態の光学系１１は、いわゆる同軸光学経路を構成している。
【００１９】
フロントスクリーン１２は、ケース１３とともに光学的距離測定装置１０の構成物を収容するケーシングを構成している。フロントスクリーン１２は、光学系１１が形成する同軸の光学的な経路Ｌの途中に位置している。フロントスクリーン１２は、透明な材料で形成されており、光の通過を許容する。これにより、照射部２１から対象物３０へ照射される光はフロントスクリーン１２を通過し、対象物３０で反射し受光部２２へ入射する光もフロントスクリーン１２を通過する。
【００２０】
次に、光学的距離測定装置１０の電気的な構成を図１に基づいて説明する。
光学的距離測定装置１０は、制御部４０、時間測定部４１および異物検出部４２を備えている。制御部４０は、ＣＰＵ、ＲＯＭおよびＲＡＭを有するマイクロコンピュータで構成されている。制御部４０は、ＲＯＭに記憶されているコンピュータプログラムをＣＰＵで実行することにより、光学的距離測定装置１０の全体を制御する。なお、光学的距離測定装置１０は、図示しない記憶媒体などを有していてもよい。記憶媒体は、制御部４０のＲＯＭおよびＲＡＭと共用することができる。制御部４０は、照射制御回路４３を経由して照射部２１と電気的に接続している。また、制御部４０は、受光制御回路４４を経由して受光部２２と電気的に接続している。さらに、制御部４０は、駆動回路４５を経由して、回転ミラー２３の駆動部２３２と電気的に接続している。これにより、制御部４０は、照射部２１からのレーザ光の照射、受光部２２における反射光の受光、および回転ミラー２３の駆動を制御する。
【００２１】
制御部４０は、コンピュータプログラムを実行することにより、時間測定部４１および異物検出部４２をソフトウェア的に実現している。なお、時間測定部４１および異物検出部４２は、ソフトウェア的に実現するだけでなく、ハードウェア的に実現してもよく、ソフトウェアとハードウェアとの協働によって実現してもよい。
時間測定部４１は、照射部２１から照射された光を、受光部２２で受光する時間を測定時間として測定する。照射部２１から光を照射したときを「０」とすると、その光を受光部２２で受光するまでに対象物３０までの距離に応じた時間を要する。時間測定部４１は、この照射部２１から光が照射され、受光部２２で受光するまでの時間を測定する。
【００２２】
異物検出部４２は、時間測定部４１で測定された測定時間と受光部２２で受光した受光量との関係からフロントスクリーン１２への異物の付着の有無を検出する。具体的には、異物検出部４２は、時間測定部４１で測定した測定時間と、受光部２２で受光した受光量とから、図４に示すような第一パルスおよび第二パルスを検出する。図２に示すように照射部２１から照射された光は、フロントスクリーン１２を通過するとき、一部が内部反射Ｒとして反射する。すなわち、照射部２１から照射された光は、大部分がフロントスクリーン１２を通過するものの、一部がフロントスクリーン１２を透過できずに反射する内部反射Ｒとなる。この内部反射Ｒによる光は、第一パルスとなって照射部２１からの照射から短時間で受光部２２へ入射する。フロントスクリーン１２を通過した光は、障害物などが無い場合、外部の対象物３０で反射した後に受光部２２へ入射する。この対象物３０で反射した光は、第二パルスとなって第一パルスよりも後に受光部２２へ入射する。異物検出部４２は、これら第一パルスおよび第二パルスの特性から、フロントスクリーン１２への異物の有無を検出する。
【００２３】
本実施形態の場合、受光量は、第一パルスおよび第二パルスにおいて受光部２２で受光した光の強さである。受光部２２は、受光した光の強さに応じて電気信号を出力する。受光部２２は、例えば受光した光が強いとき高い電圧の電気信号を出力し、受光した光が弱いとき低い電圧の電気信号を出力する。制御部４０は、受光部２２から出力された電気信号の大きさを受光量として取得する。
【００２４】
（通常状態）
フロントスクリーン１２に異物が付着していないとき、第一パルスはフロントスクリーン１２における内部反射によってのみ生じる。そのため、この第一パルスにおける第一受光量Ｌ１は、図５に示すように内部反射Ｒにのみ対応する小さな値となる。これにより、照射部２１から照射された光は、その大部分が外部の対象物３０へ照射され、外部の対象物３０で反射する。そのため、外部の対象物３０で反射した光に対応する第二パルスの第二受光量Ｌ２は、第一パルスの第一受光量Ｌ１よりも大きくなる。このように、フロントスクリーン１２に異物が付着していないとき、第一受光量Ｌ１よりも第二受光量Ｌ２が大きくなる。そこで、異物検出部４２は、第一受光量Ｌ１よりも第二受光量Ｌ２が大きいとき、フロントスクリーン１２に異物が付着していない通常状態であると判定する。この通常状態のとき、異物検出部４２は、第一パルスの第一受光量Ｌ１を、内部反射Ｒにおける内部受光量Ｌｉと設定する。
【００２５】
（障害物状態）
フロントスクリーン１２を覆うように障害物があるとき、すなわちフロントスクリーン１２の直前にフロントスクリーン１２を覆うような障害物があるとき、図６に示すように第一パルスにおける第一受光量Ｌ１は非常に大きくなる。また、フロントスクリーン１２を覆うように障害物がある場合、照射部２１から照射した光は対象物３０へ到達しない、または対象物３０へ到達したとしても対象物３０で反射した光は受光部２２へ入射しない。そのため、フロントスクリーン１２を障害物が覆う場合、第二パルスは、検出されない、または検出されても微小となる。そこで、異物検出部４２は、第一パルスにおいて内部反射Ｒに相当する第一受光量Ｌ１よりも大きな超過受光量Ｌｏを検出し、第二パルスを検出しない、または第二パルスを検出しても微小であるとき、障害物状態と判定する。この障害物状態のとき、フロントスクリーン１２は、例えば落ち葉やゴミなどによって外側の面のほぼ全体が覆われた状態となる。
【００２６】
（異物付着状態）
フロントスクリーン１２に障害物に比較して小さな異物が付着しているとき、照射部２１から照射された光は、一部がこのフロントスクリーン１２に付着した異物で反射し、残る他部が外部の対象物３０において反射する。そのため、フロントスクリーン１２に異物が付着しているとき、図７に示すように第一パルスおよび第二パルスが検出される。このとき、照射部２１から照射され外部の対象物３０へ到達する光は、フロントスクリーン１２に付着した異物によって弱められる。そのため、第二パルスの受光量は、通常状態の第二パルスの第二受光量Ｌ２に比較して小さくなる。そこで、異物検出部４２は、第一パルスにおける第一受光量Ｌ１が内部受光量Ｌｉより大きく、かつ超過受光量Ｌｏよりも小さくなるとともに、第二パルスにおける受光量が通常状態の第二受光量Ｌ２よりも小さいとき、異物付着状態と判定する。
【００２７】
（異物付着領域検出）
異物検出部４２は、異物付着状態と判定したとき、フロントスクリーン１２に付着している異物の角度、すなわち異物の付着領域を検出する。上述のように、照射部２１は、走査開始位置Ｐ１から走査終了位置Ｐ２まで一定の角度間隔で設定された走査領域ごとにレーザ光を照射する。異物検出部４２は、この走査開始位置Ｐ１から走査終了位置Ｐ２までの間で検出されたフロントスクリーン１２の異物から、この異物が付着している付着領域を検出する。
【００２８】
異物検出部４２は、フロントスクリーン１２に異物が付着しているとき、図７に示すように第一パルスおよび第二パルスを検出する。この第一パルスおよび第二パルスは、複数の走査領域ごとにそれぞれ検出される。フロントスクリーン１２に異物が付着しているとき、この異物が付着したフロントスクリーン１２に対応する走査領域では、図８に示すようにフロントスクリーン１２までの距離αに相当する時間で第一パルスが検出される。異物検出部４２は、この第一パルスが下限受光量Ｌａより大きいか否かを判定する。この第一パルスは、受光部２２から出力される電気信号のノイズと区別するために設定されている。すなわち、異物検出部４２は、第一パルスの受光量が下限受光量Ｌａ以下のとき、第一パルスがノイズであると判定する。異物検出部４２は、第一パルスの受光量が下限受光量Ｌａよりも大きいとき、この第一パルスのパルス幅Ｗ１を取得する。このパルス幅Ｗ１は、下限受光量Ｌａにおける第一パルスの時間幅である。図５に示すように第一パルスは、内部反射Ｒによっても生じる。この内部反射Ｒによる第一パルスのパルス幅は、フロントスクリーン１２に付着した異物によって生じる第一パルスのパルス幅Ｗ１よりも小さい。そのため、異物検出部４２は、第一パルスのパルス幅Ｗ１を取得することにより、第一パルスがフロントスクリーン１２に付着した異物によるものか、内部反射Ｒによるものかを判定する。
【００２９】
異物検出部４２は、第一パルスのパルス幅Ｗ１を取得することにより、このパルス幅Ｗ１が判定値βを超えるか否かを判定する。異物検出部４２は、パルス幅Ｗ１が判定値βを超えるとき、フロントスクリーン１２に異物が付着していると判定する。これにより、異物検出部４２は、異物が付着していると判定した走査領域を、ＲＡＭや図示しない記憶媒体に記憶する。すなわち、異物検出部４２は、フロントスクリーン１２のうちどの走査領域に異物の付着が検出されているかを記憶する。
【００３０】
（異物付着最終判定）
異物検出部４２は、フロントスクリーン１２に異物が付着していると判定し、その走査領域の割合Ａを算出すると、異物付着の有無を最終的に判定する異物付着最終判定を実行する。光学的距離測定装置１０は、その設置場所において異物の付着具合、すなわち汚れ具合に差が生じる。例えば屋外に設置されている光学的距離測定装置１０は、屋内に設置されている光学的距離測定装置１０よりも汚れやすい。また、少しの異物付着でも検出したい場合と、少しの異物付着は検出したくない場合など、光学的距離測定装置１０の設置場所ごとに異物付着の判定基準は異なる。さらに、付着した異物は、風雨や散水などによって除去されることもある。そこで、異物検出部４２は、フロントスクリーン１２に異物の付着を検出したとき、これを最終的な異物付着と判定するか否かの処理を実行する。
【００３１】
異物検出部４２は、検出した異物がフロントスクリーン１２の全体のどの程度の割合を占めるのかを算出する。すなわち、異物検出部４２は、フロントスクリーン１２の全体のうち、異物付着が検出された走査領域の割合Ａを算出する。異物検出部４２は、この算出した走査領域の割合Ａが第一設定時間Ｔ１の間、連続して設定割合γ以上であるとき、フロントスクリーン１２に異物が「有り」と判定する。つまり、異物検出部４２は、フロントスクリーンで異物が検出され、その検出された走査領域の割合Ａが設定割合γ以上である状態が第一設定時間Ｔ１の間、連続しているとき、フロントスクリーン１２に異物が「有り」と判定する。
【００３２】
一方、異物検出部４２は、フロントスクリーンに異物が「有り」と判定した後であっても、走査領域の割合Ａが第二設定時間Ｔ２の間、連続して設定割合δ以下であるとき、フロントスクリーン１２に異物が「無し」と判定する。例えば屋外に設置されている光学的距離測定装置１０の場合、フロントスクリーン１２に付着する異物は、風雨や散水などによって除去されることがある。屋内に設置されている光学的距離測定装置１０の場合でも、周囲の送風や洗浄などによって、フロントスクリーン１２に付着する異物が除去される。そこで、異物検出部４２は、検出した異物が第一設定時間Ｔ１の間に継続して検出されるときを異物「有り」と判定し、この異物が「有り」と判定した後でも、第二設定時間Ｔ２の間に継続して異物が検出されないとき異物「無し」と判定する。これにより、異物の有無は、設置環境に応じて判定される。
この異物付着最終判定で用いる設定割合γおよび設定割合δ、並びに第一設定時間Ｔ１および第二設定時間Ｔ２は、例えば光学的距離測定装置１０の設置場所など、条件に応じて任意に設定することができる。設定割合γおよび設定割合δは、例えば百分率（％）として設定される。
【００３３】
次に、上記の構成による光学的距離測定装置の処理の流れについて図９に基づいて説明する。
異物検出部４２は、走査を開始すると（Ｓ１０１）、走査領域を初期設定する（Ｓ１０２）。すなわち、異物検出部４２は、走査を実行する走査領域の初期設定として、走査開始位置Ｐ１を設定する。異物検出部４２は、すべての走査領域に対してフロントスクリーン１２への異物付着の検出が終了したか否かを判定する（Ｓ１０３）。すなわち、異物検出部４２は、走査開始位置Ｐ１から走査終了位置Ｐ２まで一定の角度間隔で設定されている各走査領域のすべてについて、異物付着の検出が終了したか否かを判定する。
【００３４】
異物検出部４２は、すべての走査領域について異物付着の検出が終了していないと判定すると（Ｓ１０３：Ｎｏ）、設定された走査領域を走査する（Ｓ１０４）。すなわち、異物検出部４２は、設定された走査領域において異物付着の検出を行なう。異物検出部４２は、Ｓ１０４において設定された走査領域での異物付着の検出へ移行すると、マルチエコーを検出したか否かを判定する（Ｓ１０５）。すなわち、異物検出部４２は、受光部２２で受光した受光量が、図４、図５および図７に示すようにマルチエコー、つまり第一パルスおよび第二パルスを含む状態か否かを判定する。
【００３５】
異物検出部４２は、マルチエコーを検出したと判定すると（Ｓ１０５：Ｙｅｓ）、第一パルスにおける第一受光量Ｌ１よりも第二パルスにおける第二受光量Ｌ２が大きいか否かを判定する（Ｓ１０６）。異物検出部４２は、図５に示すように第一受光量Ｌ１よりも第二受光量Ｌ２が大きいと判定すると（Ｓ１０６：Ｙｅｓ）、第一受光量Ｌ１を内部反射における内部受光量Ｌｉと設定する（Ｓ１０７）。そして、異物検出部４２は、フロントスクリーン１２に異物が付着していない通常状態であると判定する（Ｓ１０８）。異物検出部４２は、通常状態である判定すると、走査領域を更新して（Ｓ１０９）、Ｓ１０３へリターンする。すなわち、異物検出部４２は、走査領域を更新し、更新した走査領域を次のルーチンで走査する走査領域として設定する。
【００３６】
一方、異物検出部４２は、マルチエコーを検出していないと判定すると（Ｓ１０５：Ｎｏ）、障害物状態であると判定する（Ｓ１１０）。すなわち、マルチエコーを検出しない場合、図６に示すように受光部２２で受光する受光量のパルスは一つとなる。例えばフロントスクリーン１２の外側を障害物が覆っているとき、照射部２１から照射された光は、フロントスクリーン１２を覆う障害物で反射する。そのため、受光部２２ではこのフロントスクリーン１２を覆う障害物で反射した光を受光することとなり、受光量のパルスは一つとなる。このとき、受光部２２で受光する受光量は、通常状態における第一受光量Ｌ１よりも大きな超過受光量Ｌｏとなる。異物検出部４２は、障害物状態である判定すると、走査領域を更新して（Ｓ１０９）、Ｓ１０３へリターンする。
【００３７】
異物検出部４２は、Ｓ１０６において第一受光量Ｌ１より第二受光量Ｌ２が大きくないと判定すると（Ｓ１０６：Ｎｏ）、第一パルスがフロントスクリーン１２までの距離αに相当するか否かを判定する（Ｓ１１１）。すなわち、異物検出部４２は、マルチエコーを構成する第一パルスが図８に示すように距離αにあるフロントスクリーン１２からの反射であるかを判定する。
【００３８】
異物検出部４２は、第一パルスが距離αに相当すると判定すると（Ｓ１１１：Ｙｅｓ）、下限受光量Ｌａにおける第一パルスのパルス幅Ｗ１が判定値βを超えるか否かを判定する（Ｓ１１２）。一方、異物検出部４２は、第一パルスが距離αに相当しないと判定すると（Ｓ１１１：Ｎｏ）、走査領域を更新して（Ｓ１０９）、Ｓ１０３へリターンする。第一パルスが距離αに相当しない場合とは、照射部２１から照射された光がフロントスクリーン１２へ到達する前に受光部２２へ入射している状態である。そのため、異物検出部４２は、距離αより近い位置での受光量のパルスを除外する。
【００３９】
異物検出部４２は、第一パルスのパルス幅Ｗ１が判定値βを超えると判定すると（Ｓ１１２：Ｙｅｓ）、異物付着状態であると判定する（Ｓ１１３）。異物検出部４２は、異物付着状態であると判定した走査領域を、例えば制御部４０のＲＡＭなどに記憶する（Ｓ１１４）。すなわち、異物検出部４２は、第一パルスのパルス幅Ｗ１が判定値βを超えるとき、現在走査しているフロントスクリーン１２の走査領域に異物が付着していると判定し、この走査領域を記憶する。そして、異物検出部４２は、走査領域を記憶した後、走査領域を更新して（Ｓ１０９）、Ｓ１０３へリターンする。一方、異物検出部４２は、第一パルスのパルス幅Ｗ１が判定値βを超えていないと判定すると（Ｓ１１２：Ｎｏ）、走査領域を更新して（Ｓ１０９）、Ｓ１０３へリターンする。第一パルスのパルス幅Ｗ１が判定値βを超えない場合とは、例えば受光量のパルスがノイズであるときなどが考えられる。
【００４０】
異物検出部４２は、Ｓ１０３において、Ｓ１０４からＳ１１４の処理を繰り返すことにより、すべての走査領域で異物付着の検出が終了したか否かを判定する。すなわち、異物検出部４２は、走査開始位置Ｐ１から走査終了位置Ｐ２まで設定されたすべての走査領域における走査が終了したか否かを判定する。異物検出部４２は、すべての走査領域について異物付着の検出が終了したと判定すると（Ｓ１０３：Ｙｅｓ）、異物を検出した走査領域の割合Ａを算出する（Ｓ１１５）。すなわち、異物検出部４２は、フロントスクリーン１２の走査領域の全体に対し、Ｓ１１３で異物付着状態であると判定した走査領域の割合Ａを算出する。
【００４１】
異物検出部４２は、Ｓ１１５において割合Ａを算出すると、算出した走査領域の割合Ａが設定割合γ以上であるか否かを判定する（Ｓ１１６）。異物検出部４２は、走査領域の割合Ａが設定割合γ以上であると判定したとき（Ｓ１１６：Ｙｅｓ）、第一設定時間Ｔ１を経過したか否かを判定する（Ｓ１１７）。異物検出部４２は、設定割合γ以上であると判定して第一設定時間Ｔ１が経過したと判定すると（Ｓ１１７：Ｙｅｓ）、フロントスクリーン１２には異物が付着している異物「有り」と判定する（Ｓ１１８）。すなわち、異物検出部４２は、異物付着状態と判定した走査領域の割合Ａが設定割合γ以上となる時間が第一設定時間Ｔ１を経過したとき、フロントスクリーン１２に異物が付着している異物「有り」と判定する。一方、異物検出部４２は、Ｓ１１７において設定割合γ以上であると判定して第一設定時間Ｔ１が経過していないと判定すると（Ｓ１１７：Ｎｏ）、Ｓ１０２にリターンする。そして、異物検出部４２は、走査開始位置Ｐ１からＳ１０３以降の処理を繰り返す。
【００４２】
異物検出部４２は、Ｓ１１６において走査領域の割合Ａが設定割合γ以上でないと判定したとき（Ｓ１１６：Ｎｏ）、異物「有り」との判定がされている状態であるか否かを判定する（Ｓ１１９）。すなわち、異物検出部４２は、走査領域の割合Ａが設定割合γ以上でないとき、直前のルーチンにおいて、Ｓ１１８で異物「有り」と判定された状態であるか否かを判定する。
【００４３】
異物検出部４２は、異物「有り」との判定がされた状態であると判定すると（Ｓ１１９：Ｙｅｓ）、走査領域の割合Ａが設定割合δ以下である状態で第二設定時間Ｔ２を経過したか否かを判定する（Ｓ１２０）。異物検出部４２は、割合Ａが設定割合δ以下である状態で第二設定時間Ｔ２が経過したと判定すると（Ｓ１２０：Ｙｅｓ）、フロントスクリーン１２には異物が付着していない異物「無し」と判定する（Ｓ１２１）。すなわち、異物検出部４２は、異物「有り」と判定された状態から、走査領域の割合Ａが設定割合δ以下となる状態で第二設定時間Ｔ２を経過したと判定すると、フロントスクリーン１２に付着した異物が消失したと判定する。光学的距離測定装置１０に付着した異物は、例えば風雨や散水などによって除去されることがある。そのため、フロントスクリーン１２の異物は、「有り」と判定されても、事後的に消失することがある。そこで、異物検出部４２は、フロントスクリーン１２には異物が「有り」と判断された後でも、特定の条件で異物が検出されないとき、異物が消失したものとして異物「無し」と判定する。
異物検出部４２は、Ｓ１１９において直前のルーチンにおいて異物が「有り」と判定されていない状態のとき、およびＳ１２０で第二設定時間Ｔ２が経過していないと判定したとき、Ｓ１０２へリターンする。そして、異物検出部４２は、走査開始位置からＳ１０３以降の処理を繰り返す。
【００４４】
以上説明した一実施形態では、異物検出部４２は、距離測定用の同軸光学系を利用して、内部反射Ｒに対応する第一パルスと、対象物３０での反射に対応する第二パルスとの間の光の光量の差を用いて、フロントスクリーン１２に付着した異物を検出する。すなわち、一実施形態では、従来の機器において排除が求められた内部反射Ｒを積極的に利用している。したがって、部品の追加および構造の複雑化を招くことなく、フロントスクリーン１２に付着した異物をフロントスクリーン１２の全面にわたり精度よく検出することができる。
【００４５】
また、一実施形態では、照射部２１は、走査開始位置Ｐ１から走査終了位置Ｐ２まで一定の角度範囲で光を照射する。異物検出部４２は、異物付着状態にあるとき、走査領域の範囲を特定する。これにより、異物検出部４２は、単に異物の付着した位置だけでなく、その範囲つまり異物の大きさも検出する。光学的距離測定装置１０は、設置条件などによって汚れなどの異物の付着が許容される程度が異なる。一実施形態のようにフロントスクリーン１２に付着した異物の範囲を検出することにより、その異物が許容できるか否かを判定する材料となる。したがって、条件に応じて高い精度で異物の検出を行なうことができる。
【００４６】
一実施形態では、異物検出部４２は、異物を検出した期間が第一設定時間Ｔ１の間連続すると、異物が有りと判定する。一方、異物検出部４２は、異物が有りと判定した後、第二設定時間Ｔ２の間連続して異物が検出されないとき、異物が無しと判定する。光学的距離測定装置１０を屋外に設置した場合、風雨などによってフロントスクリーン１２に付着した異物が除去されることがある。そこで、一実施形態では、異物が有りと判定した後でも、第二設定時間Ｔ２の間連続して異物が検出されないとき、異物が除去されたとして、異物が無しと判定する。したがって、使用環境に応じて高い精度で異物の検出を行なうことができる。
【００４７】
一実施形態では、異物検出部４２は、受光部２２で受光した光の強さを受光量とする。受光部２２は、受光した光の強さに応じた電圧などの電気信号を出力する。異物検出部４２は、この受光部２２から光の強さに応じて出力される電気信号をそのまま受光量として用いる。これにより、受光量は単純な大小関係に置換され、内部における処理が簡略化される。したがって、走査面Ｓａを分割する角度間隔が小さく走査領域が多くなるような走査解像度が高い場合でも、迅速な処理を行なうことができる。
【００４８】
（その他の実施形態）
以上説明した本発明は、上記実施形態に限定されるものではなく、その要旨を逸脱しない範囲で種々の実施形態に適用可能である。
上述の一実施形態では、異物検出部４２は、受光部２２で受光した光の強さ、すなわち受光部２２から出力された電気信号をそのまま受光量として用いている。しかし、異物検出部４２は、受光部２２で受光した第一パルスおよび第二パルスのパルス幅を受光量としてもよい。対象物３０やフロントスクリーン１２に付着した異物で反射する光が強くなると、受光部２２から出力される電気信号のパルス幅、すなわちパルスの出力が開始された時点から停止された時点までの時間的な幅が大きくなる。つまり、パルス幅は、受光量に相関する。異物検出部４２は、この時間的な幅であるパルス幅を受光量として用いてもよい。これにより、受光量は信号のオンからオフまでの時間に置換され、内部における処理が簡略化される。したがって、走査解像度が高い場合でも、迅速な処理を行なうことができる。
【００４９】
また、異物検出部４２は、受光部２２で受光した光のエネルギーを受光量としてもよい。この光のエネルギーとは、第一パルスおよび第二パルスの積分値に相当する。すなわち、光のエネルギーは、受光部２２で受光した光の強さに応じて出力された電気信号を、第一パルスおよび第二パルスの時間的な範囲で積分したものである。これにより、受光量は、積分値の大小関係に置換される。積分値を用いることにより処理の要する時間が増加するものの、受光量の精度は向上する。したがって、より高い精度で異物の検出を行なうことができる。
【符号の説明】
【００５０】
図面中、１０は光学的距離測定装置、１１は光学系、１２はフロントスクリーン、２１は照射部、２２は受光部、４１は時間測定部（時間測定手段）、４２は異物検出部（異物検出手段）を示す。
【図１】
0006365364.tif 000002
【図２】
0006365364.tif 000003
【図３】
0006365364.tif 000004
【図４】
0006365364.tif 000005
【図５】
0006365364.tif 000006
【図６】
0006365364.tif 000007
【図７】
0006365364.tif 000008
【図８】
0006365364.tif 000009
【図９】
0006365364.tif 000010